(57)【要約】【課題】  固定部分の構成部材を削減して構成を簡素化し、統一的なデザインとした、意匠的にも好ましいエレベータのガイドレール固定装置を提供すること。【解決手段】  エレベータかごを上下方向にガイドするガイドレールを保持し固定するエレベータのガイドレール固定装置であって、建築部材の一部であるファスナーと、このファスナーと前記ガイドレールを締結するレールブラケットを一体化したことを特徴とする。【選択図】  図１
2005104673.tif 000002
【特許請求の範囲】
【請求項１】
エレベータかごを上下方向にガイドするガイドレールを保持し固定するエレベータのガイドレール固定装置であって、
建築部材の一部であるファスナーと、このファスナーと前記ガイドレールを締結するレールブラケットを一体化したことを特徴とするエレベータのガイドレール固定装置。
【請求項２】
エレベータかごを上下方向にガイドするガイドレールを保持し固定するエレベータのガイドレール固定装置であって、
建築部材の一部であるファスナーと一体化されたレールブラケットと、
このレールブラケットに取り付けられ前記ガイドレールを幅方向に両側から抑えて締結する一対のレールクリップと、
から成ることを特徴とするエレベータのガイドレール固定装置。
【請求項３】
エレベータかごを上下方向にガイドするガイドレールを保持し固定するエレベータのガイドレール固定装置であって、
建築部材の一部であるファスナーと一体化されたレールブラケットと、
前記ガイドレールに穴が設けられこのレールブラケットを前記ガイドレールに固定するボルトと、
から成ることを特徴とするエレベータのガイドレール固定装置。
【請求項４】
エレベータかごを上下方向にガイドするガイドレールを保持し固定するエレベータのガイドレール固定装置であって、
建築部材の一部であるファスナーと一体化され、前記ガイドレールに固定される位置にねじ穴が設けられたレールブラケットと、
このレールブラケットの前記ねじ穴に挿入されて前記レールブラケットを前記ガイドレールに固定する締結部材と、
から成ることを特徴とするエレベータのガイドレール固定装置。
【請求項５】
エレベータかごを上下方向にガイドするガイドレールを保持し固定するエレベータのガイドレール固定装置であって、
建築部材の一部であるファスナーと一体化されたレールブラケットと、
前記ガイドレールの継ぎ目に固定される継ぎ目板と、
この継ぎ目板及び前記レールブラケットを共に前記ガイドレールに固定する締結部材と、
から成ることを特徴とするエレベータのガイドレール固定装置。
【請求項６】
エレベータかごを上下方向にガイドするガイドレールを保持し固定するエレベータのガイドレール固定装置であって、
建築部材の一部であるファスナーと一体化されその端面にねじ穴加工を施されたレールブラケットと、
前記ガイドレールの継ぎ目に固定される継ぎ目板と、
この継ぎ目板を貫通して前記レールブラケットの前記ねじ穴に挿入され共に前記ガイドレールに固定する締結部材と、
から成ることを特徴とするエレベータのガイドレール固定装置。
【請求項７】
エレベータかごを上下方向にガイドするガイドレールを保持し固定するエレベータのガイドレール固定装置であって、
建築部材の一部であるファスナーと一体化されたレールブラケットと、
このレールブラケットと前記ガイドレールを水平方向に調整可能に締結、固定する調整部材と、
から成ることを特徴とするエレベータのガイドレール固定装置。
【発明の詳細な説明】
【技術分野】
【０００１】
本発明は、昇降路内をガイドレールに沿って昇降するエレベータに係わり、特にガイドレールを固定するガイドレール固定装置の改良に関する。
【背景技術】
【０００２】
従来、図７に示すように、エレベータのガイドレール７１は、建築部材として建物に設置されたファスナー７２などにアングル材などにより構成されたレールブラケット７３を固定し、このレールブラケット７３にレールクリップ７４で締結することによって、建築物に固定されていた。
【０００３】
しかし、壁がコンクリートであるか鉄骨であるかなどの建物の構成、用途、大きさなどによって、ファスナーの有無、形状、構成が異なってくる。したがって上記のようなレールブラケットによってガイドレールを固定する場合、エレベータの大きさや、ガイドレールのサイズなどによって形状を変えたレールブラケットを必要としていた。
【０００４】
このように、建物やエレベータの差異によってガイドレールの建物への締結部分が異なり、統一性が取られていないのが現状である。また、近年ではエレベータを建築の構造物の一部として捉え、建築コンセプトに従った意匠面からの要望も強くなってきており、それゆえガイドレールの固定部分においても建築デザインと統合した構成が必要とされる。
【発明の開示】
【発明が解決しようとする課題】
【０００５】
本発明は上記のような従来のエレベータのガイドレールを固定する部分における問題点に鑑みてなされたもので、この固定部分の構成部材を削減して構成を簡素化し、統一的なデザインとした、意匠的にも好ましいエレベータのガイドレール固定装置を提供することを目的とする。
【課題を解決するための手段】
【０００６】
本発明の請求項１によれば、エレベータかごを上下方向にガイドするガイドレールを保持し固定するエレベータのガイドレール固定装置であって、建築部材の一部であるファスナーと、このファスナーと前記ガイドレールを締結するレールブラケットを一体化したことを特徴とするエレベータのガイドレール固定装置を提供する。
【０００７】
本発明の請求項２によれば、エレベータかごを上下方向にガイドするガイドレールを保持し固定するエレベータのガイドレール固定装置であって、建築部材の一部であるファスナーと一体化されたレールブラケットと、このレールブラケットに取り付けられ前記ガイドレールを幅方向に両側から抑えて締結する一対のレールクリップと、から成ることを特徴とするエレベータのガイドレール固定装置を提供する。
【０００８】
本発明の請求項３によれば、エレベータかごを上下方向にガイドするガイドレールを保持し固定するエレベータのガイドレール固定装置であって、建築部材の一部であるファスナーと一体化されたレールブラケットと、前記ガイドレールに穴が設けられこのレールブラケットを前記ガイドレールに固定するボルトと、から成ることを特徴とするエレベータのガイドレール固定装置を提供する。
【０００９】
本発明の請求項４によれば、エレベータかごを上下方向にガイドするガイドレールを保持し固定するエレベータのガイドレール固定装置であって、建築部材の一部であるファスナーと一体化され、前記ガイドレールに固定される位置にねじ穴が設けられたレールブラケットと、このレールブラケットの前記ねじ穴に挿入されて前記レールブラケットを前記ガイドレールに固定する締結部材と、から成ることを特徴とするエレベータのガイドレール固定装置を提供する。
【００１０】
本発明の請求項５によれば、エレベータかごを上下方向にガイドするガイドレールを保持し固定するエレベータのガイドレール固定装置であって、建築部材の一部であるファスナーと一体化されたレールブラケットと、前記ガイドレールの継ぎ目に固定される継ぎ目板と、この継ぎ目板及び前記レールブラケットを共に前記ガイドレールに固定する締結部材と、から成ることを特徴とするエレベータのガイドレール固定装置を提供する。
【００１１】
本発明の請求項６によれば、エレベータかごを上下方向にガイドするガイドレールを保持し固定するエレベータのガイドレール固定装置であって、建築部材の一部であるファスナーと一体化されその端面にねじ穴加工を施されたレールブラケットと、前記ガイドレールの継ぎ目に固定される継ぎ目板と、この継ぎ目板を貫通して前記レールブラケットの前記ねじ穴に挿入され共に前記ガイドレールに固定する締結部材と、から成ることを特徴とするエレベータのガイドレール固定装置を提供する。
【００１２】
本発明の請求項７によれば、エレベータかごを上下方向にガイドするガイドレールを保持し固定するエレベータのガイドレール固定装置であって、建築部材の一部であるファスナーと一体化されたレールブラケットと、このレールブラケットと前記ガイドレールを水平方向に調整可能に締結、固定する調整部材と、から成ることを特徴とするエレベータのガイドレール固定装置を提供する。
【発明の効果】
【００１３】
本発明によれば、固定部分の構成部材を削減して構成を簡素化し、統一的なデザインとした、意匠的にも好ましいエレベータのガイドレール固定装置を得られる効果がある。
【発明を実施するための最良の形態】
【００１４】
以下、本発明の実施形態について図面を用いて説明する。本発明の第１の実施形態について説明する。図１（ａ）（ｂ）（ｃ）は本発明の第１の実施形態の平面図、側面図、正面図である。番号１１は建築部材の一部であるファスナーと一体化されたレールブラケットであり、このレールブラケット１１は、ガイドレール１２を幅方向に抑えるようにして一対のレールクリップ１３により固定される。一方、ガイドレール１２の継ぎ目１４には、継ぎ目板１５が当てられ、ボルト１６ａとナット１６ｂで固定される。
【００１５】
本発明のこの実施形態によれば、レールブラケット１１をガイドレール１２に固定する手段は、レールクリップ１３のみであり、ガイドレール１２に固定する高さを容易に調節することが可能である利点がある。また、建築部材（ファスナー）とレールブラケットが一体化されているので、建築デザインと統合された意匠にして所定の形状とすることが可能である。
【００１６】
次に本発明の第２の実施形態について説明する。図２（ａ）（ｂ）（ｃ）は本発明の第２の実施形態の平面図、側面図、正面図である。この実施形態においても、レールブラケット２１は、建築部材の一部であるファスナーと一体化されている。この実施形態においては、ガイドレール２２に穴を加工することによって、レールブラケット２１とガイドレール２２の固定を、ボルト２３ａによって行っている。ガイドレール２２の継ぎ目２４に継ぎ目板２５が当てられ、ボルト２６ａとナット２６ｂにより、締結されていることは、第１の実施形態の場合と同様である。
【００１７】
本発明のこの実施形態によれば、ボルト２３ａによってレールブラケット２１をガイドレール２２に固定しているので、レールブラケット２１の幅方向の長さＷｂをガイドレール２２の幅Ｗｇと同じにすることが可能である。またこの実施形態によれば、ガイドレール２２を正面から見て左右方向に突起物を生じさせないで構成できるので、意匠的に見栄えを向上させることができる。
【００１８】
次に本発明の第３の実施形態について説明する。図３（ａ）（ｂ）（ｃ）は本発明の第３の実施形態の平面図、側面図、正面図である。この実施形態においても、レールブラケット３１は、建築部材の一部であるファスナーと一体化されている。この実施形態では、ガイドレール３２に締結されるレールブラケット３１自体に、ねじ穴加工を施すことにより、締結部材３３を一部削除することができる。ガイドレール３２の継ぎ目３４に継ぎ目板３５が当てられ、ボルト３６ａとナット３６ｂにより、締結されていることは、第１、第２の実施形態の場合と同様である。
【００１９】
本発明のこの実施形態によれば、ガイドレール３２を裏面から見た場合、締結部材３３が見えないので、正面だけでなく、裏面からの見栄えも向上させることができる利点がある。
【００２０】
次に本発明の第４の実施形態について説明する。図４（ａ）（ｂ）（ｃ）は本発明の第４の実施形態の平面図、側面図、正面図である。この実施形態においても、レールブラケット４１は、建築部材の一部であるファスナーと一体化されている。この実施形態では、ガイドレール４２に締結されるレールブラケット４１がガイドレール４２の継ぎ目４４に当てられる継ぎ目板４５と共に締結、固定される。
【００２１】
この実施形態によれば、ガイドレール４２に固定される構成部品が、継ぎ目板４５のみとなる。したがって、ガイドレール４２の継ぎ目４４と建物床との相対位置に規則性をもたせることが可能であり、見栄えをより向上させることができる利点がある。
【００２２】
本発明の第５の実施形態について説明する。図５（ａ）（ｂ）（ｃ）は本発明の第５の実施形態の平面図、側面図、正面図である。この実施形態においても、レールブラケット５１は、建築部材の一部であるファスナーと一体化される。この実施形態では、レールブラケット５１の垂直端面５１ｅにねじ穴加工を施している。この実施形態では、ガイドレール５２の継ぎ目５４に当てられる継ぎ目板５５と共に、締結部材５６によりレールブラケット５１が締結固定される。したがって締結部材５６の一部を削除することができる。
【００２３】
本発明のこの実施形態によれば、ガイドレール５２を裏面から見た場合、締結部材５６が見えないので、正面からだけでなく、裏面からの見栄えも向上させることが可能である。
【００２４】
本発明の第６の実施形態について説明する。図６（ａ）（ｂ）（ｃ）は本発明の第６の実施形態の平面図、側面図、正面図である。この実施形態では、ファスナー６１はこれに固定されたＬ字状のレールブラケット６１ｆと、ガイドレール６２の継ぎ目６４に当てられる継ぎ目板６５と共に、締結部材６６によりガイドレール６２に締結固定される。
【００２５】
上記実施形態では、ガイドレールの芯とレールブラケットの芯をほぼ一致させることが必要である場合がある。しかしながら建築部材の一部であるファスナーに溶接されるレールブラケットは、ガイドレールと数ｍｍ程度ずれることがある。このような場合、本発明のこの実施形態では、レールブラケット６１ｆを設けて水平方向の調整ができるので、ファスナーの加工に特別高度な精度を必要とせず、あわせることが可能であり、しかも見栄えも確保することができる利点がある。
【図面の簡単な説明】
【００２６】
【図１】本発明の第１の実施形態の構成を示す図。
【図２】本発明の第２の実施形態の構成を示す図。
【図３】本発明の第３の実施形態の構成を示す図。
【図４】本発明の第４の実施形態の構成を示す図。
【図５】本発明の第５の実施形態の構成を示す図。
【図６】本発明の第６の実施形態の構成を示す図。
【図７】従来のエレベータのガイドレール固定装置の斜視図。
【符号の説明】
【００２７】
１１，２１，３１，４１，５１，６１ｆ・・・レールブラケット、
１２，２２，３２，４２，５２，６２・・・ガイドレール、
１３，  ・・・レールクリップ、
１４，２４，３４，４４，５４，６４・・継ぎ目、
１５，２５，３５，４５，５５，６５・・・継ぎ目板、
１６ａ、２３ａ，２６ａ，３６ａ・・・ボルト、
１６ｂ，２６ｂ，３６ａ・・・ナット、
５１ｅ・・・垂直端面、
５６，６６・・・締結部材、
６１・・・ファスナー。
【図１】
2005104673.tif 000003
【図２】
2005104673.tif 000004
【図３】
2005104673.tif 000005
【図４】
2005104673.tif 000006
【図５】
2005104673.tif 000007
【図６】
2005104673.tif 000008
【図７】
2005104673.tif 000009